(57)【要約】      （修正有）【課題】紛失や盗難を防止でき、かつ、使いやすい携帯用物入れを提供する。【解決手段】携帯用物入れ１は、互いに対向する第一面２および第二面と、縦方向Ｙおよび横方向と、横方向へ延びるとともに縦方向に離間する上端部１２および下端部１３とを有し、横方向の寸法よりも縦方向の寸法が大きい。第一面２には、横方向へウエストベルト４が貫通するベルト挿入部２１が設けられるとともに、第一出入口２２が開口し、この出入口２２から第一収納部２３へ小物が収納できる。ベルト挿入部２１と第一出入口２２は、縦方向へ離間し、これら離間部分には横方向へ延びる折り曲げ部１１が形成される。第二面には、第二出入口３１が開口し、この出入口３１から第二収納部へ小物が収納できる。第二出入口３１とベルト挿入部２１は、折り曲げ部１１よりも下端部１３側に位置し、それぞれ第一面２および第二面において対向する。【選択図】図４
0003182527.tif 000002
【実用新案登録請求の範囲】
【請求項１】
互いに対向する第一面および第二面と、縦方向および横方向とを有し、前記第一面に位置し、前記横方向へベルトが貫通するベルト挿入部を含む携帯用物入れであって、
前記第一面に第一出入口が形成された第一収納部と、前記第二面に第二出入口が形成された第二収納部とを有し、
前記ベルト挿入部と前記第一出入口とは、前記縦方向に離間するとともに、これらベルト挿入部と第一出入口との間には、前記横方向へ延びる折り曲げ部が形成され、
前記ベルト挿入部にベルトを挿入した状態で、前記第二出入口は、前記ベルトの身体対向面とは反対の面に位置し、前記第一収納部は、前記折り曲げ部を介して前記ベルトの前記身体対向面および前記反対の面のいずれにも折り曲げ可能であることを特徴とする携帯用物入れ。
【考案の詳細な説明】
【技術分野】
【０００１】
この発明は、ズボン等のウエストベルトに装着して携帯し、紛失や盗難を防止することができる携帯用物入れに関し、より詳細には、パスポート等を入れて持ち歩くことができる海外旅行に最適な携帯用物入れに関する。
【背景技術】
【０００２】
従来、ズボン等のウエストベルトに装着することができる財布等の物入れが知られている。ベルトに装着することによって物入れの紛失や盗難を予防することができる。
【先行技術文献】
【特許文献】
【０００３】
【特許文献１】実公平７−３６４８９号公報
【特許文献２】特開２０００−２５３９１８号公報
【考案の概要】
【考案が解決しようとする課題】
【０００４】
しかしながら、特許文献１によれば、定期券などを入れる収納部は常にベルトの外面、すなわちベルトをズボン等に着けたときに身体に対向する面とは反対の面に位置する。したがって、第三者に収納部からその内容物を抜き取られる危険があった。
また、特許文献２によれば、パスポート等の貴重品を入れる袋部は、通常ベルトの外面に位置するが、内面へと回転させることができ、袋部をズボンと身体との間に保持することができる。しかし、袋部全体がズボンの内側に保持されるため、頻繁に使用する小銭やカードなどを袋部に入れた場合には、これを取り出しにくく、使いづらいという不都合があった。
【０００５】
この考案では、紛失や盗難を防止することができ、かつ、使いやすい携帯用物入れを提供することを課題とする。
【課題を解決するための手段】
【０００６】
この考案は、互いに対向する第一面および第二面と、縦方向および横方向とを有し、前記第一面に位置し、前記横方向へベルトが貫通するベルト挿入部を含む携帯用物入れであって、前記第一面に第一出入口が形成された第一収納部と、前記第二面に第二出入口が形成された第二収納部とを有し、前記ベルト挿入部と前記第一出入口とは、前記縦方向に離間するとともに、これらベルト挿入部と第一出入口との間には、前記横方向へ延びる折り曲げ部が形成され、前記ベルト挿入部にベルトを挿入した状態で、前記第二出入口は、前記ベルトの身体対向面とは反対の面に位置し、前記第一収納部は、前記折り曲げ部を介して前記ベルトの前記身体対向面および前記反対の面のいずれにも折り曲げ可能であることを特徴とする。
【考案の効果】
【０００７】
この考案によれば、ベルト挿入部にベルトを挿入することによって、携帯用物入れをベルトに装着できるので、これを紛失したり、盗まれたりすることがない。また、第二出入口がベルトの外面、すなわち身体とは反対側に維持されるので、頻繁に使用するものは第二収納部に収納することによって、出し入れしやすく使い勝手が良い。さらに、折り曲げ部に沿って第一出入口をベルトの内面、すなわち身体側へと折り曲げることができるので、重要なものについては第一収納部に収納することによって、一層盗難を予防することができる。
【図面の簡単な説明】
【０００８】
【図１】第一面側から見た携帯用物入れの正面図。
【図２】第二面側から見た携帯用物入れの正面図。
【図３】ベルトに取り付けた状態の携帯用物入れであって、第一収納部を内側に折り曲げたときの状態をベルトの外面から見た斜視図。
【図４】ベルトに取り付けた状態の携帯用物入れであって、第一収納部を内側から引き出したときの状態をベルトの内面から見た斜視図。
【考案を実施するための形態】
【０００９】
図１および図２を参照すれば、携帯用物入れ１は、互いに対向する第一面２および第二面３と、縦方向Ｙおよび横方向Ｘと、横方向Ｘへ延びるとともに縦方向Ｙに離間する上端部１２および下端部１３とを有し、横方向Ｘの寸法よりも縦方向Ｙの寸法が大きい。
【００１０】
特に図１を参照すれば、第一面２には、横方向Ｘへウエストベルト４（図３および図４参照）が貫通するベルト挿入部２１が設けられる。ベルト挿入部２１は、携帯用物入れ１の縦方向Ｙの寸法を二等分する横中心線６よりも下端部１３側に位置することが望ましい。第一面２には、第一出入口２２が開口し、この出入口２２から第一収納部２３へパスポートや紙幣などの貴重品や小物の収納が可能である。第一収納部２３は、第一面２と第二面３との間に形成された袋部によって形成される。第一出入口２２には、線ファスナ等のファスニング手段２５を取り付けることによって開閉可能にすることが望ましい。第一面２には、カード収納部２４，２４をさらに設ける。カード収納部２４，２４には、収納したカードが落ちないように面ファスナ等のファスニング手段２７，２７を設け、これらカード収納部２４，２４の開口部を開閉可能にする。
【００１１】
ベルト挿入部２１と第一出入口２２は、縦方向Ｙへ離間し、これら離間部分には、横方向Ｘへ延びる折り曲げ部１１が形成される。折り曲げ部１１は、横中心線６よりも下端部１３側に位置することが望ましい。携帯用物入れ１は、折り曲げ部１１を介して、第一面２を互いに接触させるように折り曲げることもできるし、これとは反対に第二面３を互いに接触させるように折り曲げることもできる。
【００１２】
第一出入口２２は、折り曲げ部１１近傍から上端部１２へと縦方向Ｙへ延びる。上端部１２には、タブ２６を取り付け、ファスニング手段２５を開閉しやすいようにする。第一出入口２２は、縦方向Ｙに延びるものに限るものではなく、横方向Ｘへ延びるように設けることもできるし、縦方向Ｙおよび横方向Ｘに傾斜するように設けることもできる。
【００１３】
特に図２を参照すれば、第二面３には、第二出入口３１が開口し、この出入口３１から第二収納部３２へカードなどの小物の収納ができる。第二収納部３２は、第一面２と第二面３との間に形成された袋部によって形成される。第二出入口３１は、フラップ３３によってその開口が開閉可能に覆われている。第二出入口３１は、折り曲げ部１１よりも下端部１３側に位置する。このように、第二出入口３１とベルト挿入部２１とは、いずれも折り曲げ部１１よりも下端部１３側に位置し、それぞれ第一面２および第二面３において対向する。
【００１４】
図３を参照すれば、ベルト挿入部２１にベルト４を通した場合には、ベルト４の外面４１、すなわち身体と対向する面とは反対の面に第二出入口３１が位置する。第二出入口３１がベルト４の外面４１に位置するので、第二出入口３１から第二収納部３２に収納したものを取り出す場合には、フラップ３３を開けるだけでよい。
フラップ３３と第二面３との間には、面ファスナ等のファスニング手段３４が取り付けられ、第二出入口３１から収納物が落ちないようにしている。第二面３には、第二収納部３２近傍に、さらにカード収納部３５を設けることもできる。
【００１５】
上記のような携帯用物入れ１は、ベルト挿入部２１にベルト４を通した場合には、第二収納部３２がベルト４に固定されることによって、携帯用物入れ１全体がベルト４で保持されるから、携帯用物入れ１を紛失したり、盗難されたりするのを予防することができる。また、携帯用物入れ１の第二収納部３２よりも上端部１２側は固定されることがないので、折り曲げ部１１を介して自由に折り曲げることができる。このように折り曲げることによって、折り曲げ部１１よりも上端部１２側をズボンと身体との間に挟むように保持することができる。すなわち、折り曲げ部１１よりも上端部１２側に位置する第一収納部２３および第一出入口２２をズボンの内側に保持することができる。したがって、外部から第一収納部２３に収納された貴重品等を抜き取られるのを予防することができる。
【００１６】
図４を参照すれば、第一収納部２３から小物等を取り出したい場合には、矢印５に示したように、上端部１２をズボンの内側から引っ張り出すようにする。このように引っ張り出すと、第一面２が外側に露出するから、第一出入口２２を開閉しやすく、第一収納部２３からの貴重品等の取り出しが容易にできる。
【００１７】
この実施形態によれば、第二出入口３１が常にベルト４の外面４１に位置するので、よく使うカード等を第二収納部３２に収納することによって、すぐにこれらを取り出すことができ、使い勝手を向上させることができる。また、第一出入口２２および第一収納部２３をズボンの内側に入れることができるので、使用頻度は少ないが重要なもの、例えばパスポートや紙幣、保険証等を入れておくことによって、盗難を効果的に予防することができる。したがって、第一収納部２３は、少なくともパスポートや紙幣が収納できる程度の大きさにすることが好ましく、さらには紙幣を折りたたむことなく収納できる大きさにすることが好ましい。
【００１８】
この実施形態の携帯用物入れ１によれば、紛失や盗難を確実に予防し、かつ、使いやすい物入れを実現することができる。この携帯用物入れ１は、パスポートを携帯するような海外旅行に最適である。ただし、海外旅行用に限定するものではなく、海外旅行時以外は紙幣や保険証、免許証等を入れて通常の財布としても使用することができる。
さらに、携帯用物入れ１は横方向Ｘにおける寸法よりも縦方向Ｙにおける寸法を大きくし、かつ、折り曲げ部１１を横中心線６よりも下端部１３側に偏在させることによって、ベルト４に固定されない領域を広くすることができ、上端部１２側のベルト４の内面４２への出し入れ、すなわちズボンへの出し入れを容易にすることができる。
【００１９】
上記のような携帯用物入れ１は、皮革製であってもよいし、布製または合成樹脂製であってもよい。また、これらの組み合わせであってもよい。第一面２の折り曲げ部１１よりも上端部１２側は布製にすることが好ましい。これによって携帯用物入れ１全体の軽量化ができるとともに、柔軟性を向上させることができ上端部１２側を内側に折り曲げたときに折り曲げ易い。
また、第二面３は皮革製とすることが好ましい。第二面３全体を皮革製とすることによって、高級感を出すことができるとともに、防水性を付与することができる。
【００２０】
第一および第二出入口２２，３１のそれぞれ、およびカード収納部２４，２４にはそれぞれファスニング手段を設けているが、ファスニング手段は必須の構成ではなく、これがないものであってもよい。ファスニング手段を用いる場合には、この技術分野における公知の手段を用いることができる。
ベルト挿入部２１としては、クリップタイプのものや、第一面２にスリットを設けたものなど、この技術分野における公知の手段を用いることができる。
【符号の説明】
【００２１】
１    携帯用物入れ
２    第一面
３    第二面
４    ベルト
１１    折り曲げ部
２１    ベルト挿入部
２２    第一出入口
２３    第一収納部
３１    第二出入口
３２    第二収納部
【図１】
0003182527.tif 000003
【図２】
0003182527.tif 000004
【図３】
0003182527.tif 000005
【図４】
0003182527.tif 000006